(57)【要約】【課題】重量の増加を抑制しつつ、剛性が強いプロジェクターを提供する。【解決手段】シャーシ７は、平板状のシャーシ部７ａと、箱状のシャーシ部７ｃとが一体形成されたものである。シャーシ部７ａには、光源部１および光学系２０が固定される。また、シャーシ部７ｃは、電源部４を収容して該シャーシ部７ｃに固定する。【選択図】図２
2014106383.tif 000002
【特許請求の範囲】
【請求項１】
光源と、
該光源が出射する光を利用して映像を投射する光学系と、
電源と、
平板状の第１シャーシ部と箱状の第２シャーシ部とが一体形成されたシャーシと、を備え、
前記第１シャーシ部には、前記光源および前記光学系が固定され、
前記第２シャーシ部は、前記電源を収容して該第２シャーシ部に固定する
プロジェクター。
【請求項２】
前記シャーシは、金属からなり、
前記第２シャーシ部は、前記電源を収容する筐体としての機能と、前記金属により、前記電源からの電磁波の前記プロジェクターからの漏れを抑制する電磁シールドとしての機能と有する
請求項１に記載のプロジェクター。
【請求項３】
前記第１シャーシ部には、前記光源の少なくとも一部と前記光学系の少なくとも一部とを露出させる開口部が形成される
請求項１または２に記載のプロジェクター。
【発明の詳細な説明】
【技術分野】
【０００１】
本発明は、プロジェクターに関する。
【背景技術】
【０００２】
プロジェクターは、以下の理由により、光源、光学系および電源等の重量が増加しつつある。例えば、光源の重量の増加の理由は、高輝度化に伴う、光源に電力を供給する電源の容量の増加である。また、光源からの発熱の増加に伴う冷却能力を増強させるための構造により、当該構造の重量が増加している。また、光学系の重量の増加の理由は、高解像度化に伴うレンズ等の光学部品の増加である。
【０００３】
そこで、プロジェクター全体の構造的な強度を確保する必要がある。特許文献１には、プロジェクターの構造的な強度を確保する技術（以下、関連技術Ａともいう）が開示されている。
【０００４】
関連技術Ａでは、金属部材（板金）からなる平板状のシャーシに、光源、光学系および電源の下部をねじで固定する。なお、光源、光学系および電源の上部には、回路部を固定している。また、さらに、光源、光学系および電源等の上部を、複数の結合部材を利用して、相互に固定している。これにより、光源、光学系および電源を強固に固定している。
【先行技術文献】
【特許文献】
【０００５】
【特許文献１】特開２００３−００５２８８号公報（図１，３、段落００１３〜００１５）
【発明の概要】
【発明が解決しようとする課題】
【０００６】
しかしながら、関連技術Ａでは、以下のような問題がある。具体的には、関連技術Ａでは、剛性を持つ材質による平板状の板金からなるシャーシに、光源、光学系および電源の下部をねじで固定する。また、光源、光学系および電源の上部には、回路部を固定している。そして、さらに、構造の強度を増すために、シャーシの厚みを増して剛性を強くしている。また、さらに、光源、光学系および電源等の上部を、複数の結合部材を利用して、相互に固定している。そのため、プロジェクターの総重量がさらに重くなるという問題があった。
【０００７】
本発明は、このような問題を解決するためになされたものであり、重量の増加を抑制しつつ、剛性が強いプロジェクターを提供することを目的とする。
【課題を解決するための手段】
【０００８】
上記目的を達成するために、本発明の一態様に係るプロジェクターは、光源と、該光源が出射する光を利用して映像を投射する光学系と、電源と、平板状の第１シャーシ部と箱状の第２シャーシ部とが一体形成されたシャーシと、を備え、前記第１シャーシ部には、前記光源および前記光学系が固定され、前記第２シャーシ部は、前記電源を収容して該第２シャーシ部に固定する。
【発明の効果】
【０００９】
本発明によれば、シャーシは、平板状の第１シャーシ部と、箱状の第２シャーシ部とが一体形成されたものである。前記第１シャーシ部には、前記光源および前記光学系が固定される。また、前記第２シャーシ部は、前記電源を収容して該第２シャーシ部に固定する。
【００１０】
すなわち、シャーシは、平板状の第１シャーシ部と、箱状の第２シャーシ部とが一体形成されたものである。そのため、第１シャーシ部と第２シャーシ部とを結合させるためのねじ等が不要である。したがって、シャーシ（プロジェクター）の重量の増加を抑制することができる。また、シャーシは、第１シャーシ部と第２シャーシ部とが一体形成されたものであるので、シャーシの剛性を強くすることができる。
【００１１】
これにより、重量の増加を抑制しつつ、シャーシ（プロジェクター）の剛性を強くすることができる。
【図面の簡単な説明】
【００１２】
【図１】本発明の実施の形態１に係るプロジェクターの構成を示す分解斜視図である。
【図２】本発明の実施の形態１に係る主構成部の斜視図である。
【図３】本発明の実施の形態１に係る主構成部の側面図である。
【図４】本発明の実施の形態１に係る主構成部の底面図である。
【図５】シールド底板が取り付けられていない主構成部の底面図である。
【図６】本発明の実施の形態１に係るシャーシの構成を示す斜視図である。
【発明を実施するための形態】
【００１３】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１４】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００１５】
＜実施の形態１＞
図１は、本発明の実施の形態１に係るプロジェクター１０００の構成を示す分解斜視図である。図１を参照して、プロジェクター１０００は、主構成部１００と、上部外装２１０と、下部外装２２０と、後部外装２３０とを含む。
【００１６】
主構成部１００は、複数の部品から構成される組み立て品である。上部外装２１０、下部外装２２０および後部外装２３０の各々は、プラスティックで成形されている。
【００１７】
上部外装２１０は、主構成部１００の上方から、該主構成部１００に取り付けられる。下部外装２２０は、主構成部１００の下方から、該主構成部１００に取り付けられる。後部外装２３０は、主構成部１００の後方から、該主構成部１００に取り付けられる。上部外装２１０、下部外装２２０および後部外装２３０の各々は、主構成部１００から取り外しが可能なように構成される。
【００１８】
図２は、本発明の実施の形態１に係る主構成部１００の斜視図である。図３は、本発明の実施の形態１に係る主構成部１００の側面図である。図４は、本発明の実施の形態１に係る主構成部１００の底面図である。すなわち、図４は、上部外装２１０、下部外装２２０および後部外装２３０が取り付けられていない主構成部１００の底面図である。図５は、後述のシールド底板８，９が取り付けられていない主構成部１００の底面図である。
【００１９】
図２、図３および図５を参照して、主構成部１００は、光源部１と、光学系２０と、電源部４と、回路部５と、信号入出力部６と、シャーシ７とを含む。
【００２０】
光源部１は、光を出射する光源である。光源部１は、光源Ｌ１，Ｌ２，Ｌ３と、駆動部（図示せず）と、放熱器１ａ，１ｂ，１ｆと、冷却ファン１ｃ，１ｄとを含む。
【００２１】
駆動部は、光源Ｌ１，Ｌ２，Ｌ３の各々を駆動させる制御を行う。具体的には、駆動部は、光源Ｌ１，Ｌ２，Ｌ３の各々へ供給する電流の量を制御する。
【００２２】
光源Ｌ１，Ｌ２，Ｌ３は、後述のシャーシ部７ａ上に設けられる。光源Ｌ１，Ｌ２，Ｌ３の各々は、映像の投射に利用される赤色光、緑色光および青色光のいずれかを出射する。放熱器１ａは、光源Ｌ１で発生する熱を放熱する。放熱器１ｂは、光源Ｌ２で発生する熱を放熱する。放熱器１ｆは、光源Ｌ３で発生する熱を放熱する。冷却ファン１ｃは、放熱器１ａ，１ｂから放出される熱を、風（空気の流れ）により冷却する。冷却ファン１ｄは、放熱器１ｆから放出される熱を風（空気の流れ）により冷却する。
【００２３】
光学系２０は、光源部１（光源Ｌ１，Ｌ２，Ｌ３）が出射する光を利用して映像を投射する。光学系２０は、画像形成部２と、投射部３とを含む。
【００２４】
画像形成部２は、光源部１が出射する光を用いて、映像信号に応じて光学像を形成する。光学像とは、光により構成される画像（映像）である。画像形成部２は、複数の部品から構成される。画像形成部２は、放熱器２ａと、冷却ファン２ｂとを含む。放熱器２ａは、画像形成部２を構成する各部品で発生する熱を放熱する。冷却ファン２ｂは、放熱器２ａから放出される熱を、風（空気の流れ）により冷却する。
【００２５】
投射部３は、画像形成部２により形成された光学像をスクリーンに投射する。投射部３は、投射レンズ３ａと、カバー３ｂとを含む。投射レンズ３ａは、光学像を透過させるレンズである。カバー３ｂは、投射レンズ３ａの一部を覆うカバーである。投射部３は、支持台３ｃにより支持（固定）される。
【００２６】
また、主構成部１００には、長さが可変の足３ｄが設けられる。足３ｄは、投射対象のスクリーン（図示せず）に対するプロジェクター１０００の姿勢を調整する支持部材である。
【００２７】
電源部４は、光源部１およびプロジェクター１０００の各部に電流を供給する電源である。
【００２８】
回路部５は、映像信号を処理する機能、プロジェクター１０００の各部を制御する機能を有する。回路部５は、回路基板５ａと、電磁シールド板５ｂ，５ｃとを含む。回路基板５ａには、回路部品、回路配線等が設けられる。電磁シールド板５ｂ，５ｃは、電界をシールドするための板である。
【００２９】
信号入出力部６は、映像信号の入力、プロジェクター１０００の制御信号の入出力等を行う。端子板６ａには、信号入出力部６が入出力する信号のための入力端子および出力端子等が設けられている。
【００３０】
図６は、本発明の実施の形態１に係るシャーシ７の構成を示す斜視図である。図６に示すように、シャーシ７は、立体構造を有する。具体的には、シャーシ７は、シャーシ部７ａとシャーシ部７ｃとが一体形成されたものである。シャーシ７は、金属からなる。
【００３１】
シャーシ部７ａの形状は、平板状である。シャーシ部７ａには、光源としての光源部１および光学系２０が固定される。具体的には、シャーシ部７ａには、ねじにより、光源Ｌ１，Ｌ２，Ｌ３を含む光源部１と、画像形成部２および投射部３を含む光学系２０とが、該シャーシ部７ａの上方から固定される。なお、光源部１、画像形成部２および投射部３は、十分な重さを有する。
【００３２】
シャーシ部７ａには、開口部７ｂが形成される。後述のシールド底板９がシャーシ部７ａに取り付けられていない場合、開口部７ｂは、光源部１の少なくとも一部と、画像形成部２の少なくとも一部と、投射部３の少なくとも一部とを露出させる。光源部１の少なくとも一部、画像形成部２の少なくとも一部、および、投射部３の少なくとも一部は、調整またはメンテナンス等を行うための部分である。
【００３３】
すなわち、開口部７ｂは、光源Ｌ１，Ｌ２，Ｌ３を含む光源部１（光源）の少なくとも一部と、画像形成部２および投射部３を含む光学系２０の少なくとも一部とを露出させる。
【００３４】
開口部７ｂは、作業者が、光源部１、画像形成部２および投射部３の各々に対する調整およびメンテナンス等を行うための開口部である。すなわち、開口部７ｂは、作業者が、プロジェクター１０００の下方から、光源部１、画像形成部２および投射部３に触れる（アクセスする）ための開口部である。
【００３５】
シャーシ部７ｃの形状は、箱状である。シャーシ部７ｃは、該シャーシ部７ｃの下部に開口部を設ける。シャーシ部７ｃは、電源（電源部４）を収容して該シャーシ部７ｃに固定する。具体的には、シャーシ部７ｃは、電源部４を、プロジェクター１０００（主構成部１００）の下方から収容する。また、シャーシ部７ｃには、ねじにより、電源部４が固定される。
【００３６】
また、前述したように、シャーシ７は、金属からなる。そのため、シャーシ部７ｃは、電磁波のプロジェクター１０００からの漏れを抑制する電磁シールド特性を有する。すなわち、シャーシ部７ｃは、電源部４を収容する筐体としての機能と、収容している電源部４（電源回路部品）からの電磁波のプロジェクター１０００からの漏れを抑制する機能とを有する。すなわち、シャーシ部７ｃは、電源（電源部４）を収容する筐体としての機能と、金属により、電源部４からの電磁波のプロジェクター１０００からの漏れを抑制する電磁シールドとしての機能と有する。つまり、シャーシ部７ｃは、電源部４を収容する筐体としての機能に加え、電磁波の漏れを抑制する機能を兼ねる。
【００３７】
また、シャーシ部７ｃの側面および上面には、複数の穴７ｄが形成される。穴７ｄは、電源部４が発する熱を放熱するための穴である。また、シャーシ部７ｃの上面には、ねじ固定台７ｅが形成される。ねじ固定台７ｅは、ねじによりシャーシ部７ｃの上方に信号入出力部６を固定するための台である。
【００３８】
また、シャーシ７には、該シャーシ７の側面側に設けられた板状部７１が形成されている。板状部７１には、穴７ｆが設けられる。穴７ｆの周辺部には、前述の冷却ファン１ｄが固定される。
【００３９】
再び、図２、図３、図４および図５を参照して、シールド底板８，９は、薄い板金（金属）からなる。シールド底板８，９は、電磁波の漏れを抑制する電磁シールド特性を有する。シールド底板８は、箱状のシャーシ部７ｃに収容された電源部４を覆うように設けられる。シールド底板９は、光源部１と、画像形成部２および投射部３を含む光学系２０とが固定されたシャーシ部７ａの底面にねじにより固定される。
【００４０】
主構成部１００は、光源部１、画像形成部２、投射部３、電源部４、回路部５、信号入出力部６、シールド底板８，９およびシャーシ７等を組み立てたものである。
【００４１】
また、図２を参照して、シャーシ部７ａには、ねじにより、光源部１と、画像形成部２および投射部３を含む光学系２０とが固定されている。シャーシ部７ｃは、該シャーシ部７ｃの下方から、電源部４を収容している。シャーシ部７ｃには、ねじにより、電源部４が固定される。
【００４２】
信号入出力部６は、電源部４を収容したシャーシ部７ｃの上方にねじで固定されている。回路部５は、画像形成部２および信号入出力部６の上方に、ねじで固定されている。
【００４３】
次に、図４および図５の構成をさらに詳細に説明する。再び、図４を参照して、前述したように、シャーシ部７ｃは、電源部４を、プロジェクター１０００（主構成部１００）の下方から収容する。シャーシ部７ｃには、ねじにより、電源部４が固定される。また、電源部４の底面は、シールド底板８で覆われている。シールド底板８には、放熱用の複数の穴８ａが設けられる。
【００４４】
シールド底板９は、光源部１と、画像形成部２および投射部３を含む光学系２０とが固定されたシャーシ部７ａの開口部７ｂをふさぐように、該シャーシ部７ａにねじで取り付けられている。シールド底板９には、放熱用の複数の穴９ａが設けられる。
【００４５】
前述の図５は、図４の主構成部１００からシールド底板８，９を取り外した該主構成部１００の底面図である。図５において、主構成部１００は、さらに、基板１ｅ，４ａを含む。
【００４６】
基板１ｅには、前述の駆動部に含まれる回路部品が実装されている。前述したように、駆動部は、光源Ｌ１，Ｌ２，Ｌ３の各々へ供給する電流の量を制御する。放熱器１ｆは、前述したように、光源Ｌ３で発生する熱を放熱する。基板４ａは、電源部４に含まれる電源回路部品、回路配線等が設けられる。
【００４７】
このように、本実施の形態によれば、立体構造を有するシャーシ７の平板状のシャーシ部７ａに、十分な重さを有する光源部１、画像形成部２および投射部３を固定する。すなわち、シャーシ部７ａには、光源部１と、画像形成部２および投射部３を含む光学系２０とが固定される。
【００４８】
また、箱状のシャーシ部７ｃに電源部４を収容して該シャーシ部７ｃに固定する。また、シャーシ７は、シャーシ部７ａと、シャーシ部７ｃとが一体形成されたものである。そのため、従来のように、シャーシ部７ａとシャーシ部７ｃとを結合させるためのねじ等が不要である。したがって、シャーシ７（プロジェクター１０００）の重量の増加を抑制することができる。
【００４９】
また、シャーシ７は、シャーシ部７ａとシャーシ部７ｃとが一体形成されたものであるので、シャーシ７の剛性を強くすることができる。これにより、重量の増加を抑制しつつ、シャーシ７（プロジェクター１０００）の剛性を強くすることができる。すなわち、プロジェクター１０００の構造的な剛性を強くすることができる。
【００５０】
したがって、本実施の形態のプロジェクター１０００は、高輝度化および高解像度化により、光源、光学系および電源の重量が増加しても、構造的な強度を確保することができる。
【００５１】
その結果、プロジェクター１０００において、従来のような補強のための結合部材を減らすことができる。また、シャーシ７の厚みを、従来よりも薄くしても十分な強度を確保することができる。例えば、シャーシ７（板金）の厚みを、従来の１．２ｍｍから１．０ｍｍにすることができる。したがって、プロジェクター１０００の総重量を軽くすることができる。
【００５２】
従来では、電源部のために別途筺体が必要であった。しかしながら、本実施の形態によれば、シャーシ７のシャーシ部７ｃは、電磁波の漏れを抑制する機能に加え、電源部４を収容する筐体としての機能を兼ねる。そのため、電源部４の筺体は、シールド底板８のみに減らすことができる。すなわち、電源部４の筺体を構成する部品を減らすことができる。したがって、さらに、プロジェクター１０００の総重量を軽くすることができる。
【００５３】
なお、従来では、前述したように、平板状のシャーシの上に重量の重い光源、光学系および電源を固定し、それらの上に回路部を固定していた。そのため、光源、光学系および電源へのアクセスは、上方からのみに制限されるという問題がある。例えば、従来では、電源の上部に回路部が設けられ、電源の底面がシャーシに固定されている。また、従来では、電源の上部には、各部品を相互に結合する結合部材が固定されている。そのため、従来では、電源の調整、メンテナンス等を行うためには、結合部材および回路部を外さなくてはならなかった。
【００５４】
一方、本実施の形態によれば、シャーシ７のシャーシ部７ｃは、電源部４を、プロジェクター１０００（主構成部１００）の下方から収容して該シャーシ部７ｃに固定している。そのため、電源部４の調整またはメンテナンス等が必要な場合、プロジェクター１０００から下部外装２２０およびシールド底板８のみ外すことのみで、作業者は、電源部４に触れる（アクセスする）ことができる。したがって、電源部４のメンテナンスを容易にすることができる。
【００５５】
さらに、プロジェクター１０００の構造的な剛性が強くなったので、十分な強度を確保しつつ、シャーシ７のシャーシ部７ａに開口部７ｂを設けることができる。これにより、光源部１、画像形成部２および投射部３の調整またはメンテナンス等が必要な場合、プロジェクター１０００から下部外装２２０およびシールド底板９のみを外すことのみで、作業者は、光源部１、画像形成部２および投射部３に触れる（アクセスする）ことができる。
【００５６】
したがって、光源部１、画像形成部２および投射部３のメンテナンスを容易にすることができる。すなわち、本実施の形態によれば、メンテナンスの容易なプロジェクター１０００を提供することができる。
【００５７】
なお、本発明は、その発明の範囲内において、実施の形態を適宜、変形、省略することが可能である。
【符号の説明】
【００５８】
１  光源部、２  画像形成部、３  投射部、４  電源部、７  シャーシ、７ａ，７ｃ  シャーシ部、７ｂ  開口部、８，９  シールド底板、２０  光学系、１００  主構成部、１０００  プロジェクター。
【図１】
2014106383.tif 000003
【図２】
2014106383.tif 000004
【図３】
2014106383.tif 000005
【図４】
2014106383.tif 000006
【図５】
2014106383.tif 000007
【図６】
2014106383.tif 000008